【手続補正書】
【提出日】平成29年3月22日(2017.3.22)
【手続補正１】
【補正対象書類名】特許請求の範囲
【補正対象項目名】全文
【補正方法】変更
【補正の内容】
【特許請求の範囲】
【請求項１】
デバイスが、第１の局から第１の省電力ポールメッセージを受信することと、
メッセージを前記局および２つ以上の追加の局に送信することと、前記メッセージは、前記第１の省電力ポールの受信を肯定応答し、追加の省電力ポールを指定される時間において同時に送信するように前記２つ以上の局に要求し、
前記２つ以上の局から前記追加の省電力ポールを同時に受信することと
を備える、ワイヤレス通信のための方法。
【請求項２】
同時に受信することは、前記追加の省電力ポールのうちの少なくとも一部を、オーバーラップする時間にわたって受信することを含む、請求項１の方法。
【請求項３】
第２のメッセージを送信することをさらに備え、前記第２のメッセージは、前記第１および追加の局の各々が前記省電力ポールを送信するスケジュールを含む、請求項１の方法。
【請求項４】
前記第２のメッセージは、トラフィックインディケーションマップを備え、前記スケジュールは、前記トラフィックインディケーションマップに基づいて定められる、請求項３の方法。
【請求項５】
前記トラフィックインディケーションマップは、局の順序を含むビットマップを備え、各局が送信する前記スケジュールは、前記順序に基づいて決定される、請求項４の方法。
【請求項６】
前記第２のメッセージは、特定のトリガの後の省電力ポールの前記同時送信を示し、前記トリガは、ビーコン、肯定応答およびダウンリンクパケットのうちの少なくとも１つの送信である、請求項３の方法。
【請求項７】
前記追加の省電力ポールを前記同時に受信することは、アップリンクマルチユーザＭＩＭＯ送信およびアップリンクＦＤＭＡ送信のうちの少なくとも１つを受信することを備える、請求項１の方法。
【請求項８】
第１の局から第１の省電力ポールメッセージを受信するように構成される受信機と、
メッセージを前記局および２つ以上の追加の局に送信するように構成される送信機と、前記メッセージは、前記第１の省電力ポールの受信を肯定応答し、追加の省電力ポールを指定される時間において同時に送信するように前記２つ以上の局に要求し、
前記受信機は、前記２つ以上の局から前記追加の省電力ポールを同時に受信するようにさらに構成される、
を備える、ワイヤレス通信のためのデバイス。
【請求項９】
前記受信機は、前記追加の省電力ポールの少なくとも一部を、オーバーラップする時間にわたって同時に受信するように構成される、請求項８のデバイス。
【請求項１０】
前記送信機は、前記第１の局および前記追加の局の各々が前記省電力ポールを送信するスケジュールを含む第２のメッセージを送信するようにさらに構成される、請求項８のデバイス。
【請求項１１】
前記第２のメッセージは、トラフィックインディケーションマップを備え、前記スケジュールが、前記トラフィックインディケーションマップに基づいて定められる、請求項１０のデバイス。
【請求項１２】
前記トラフィックインディケーションマップが、局の順序を含むビットマップを備え、各局が送信する前記スケジュールは、前記順序に基づいて決定される、請求項１１のデバイス。
【請求項１３】
前記第２のメッセージが、特定のトリガの後の省電力ポールの前記同時送信を示し、前記トリガが、ビーコン、肯定応答およびダウンリンクパケットのうちの少なくとも１つの送信である、請求項１０のデバイス。
【請求項１４】
前記受信機がさらに、アップリンクマルチユーザＭＩＭＯ送信およびアップリンクＦＤＭＡ送信のうちの少なくとも１つを使用して前記追加の省電力ポールを受信するように構成される、請求項８のデバイス。
【請求項１５】
デバイスが、第１の局から第１の省電力ポールメッセージを受信するための手段と、
肯定応答メッセージを前記局および２つ以上の追加の局に送信するための手段と、前記肯定応答メッセージは、前記第１の省電力ポールの受信を肯定応答し、追加の省電力ポールを指定される時間において同時に送信するように前記２つ以上の局に要求し、
前記２つ以上の局から前記追加の省電力ポールを同時に受信するための手段と
を備える、ワイヤレス通信のためのデバイス。
【請求項１６】
前記受信する手段は、前記追加の省電力ポールの少なくとも一部を、オーバーラップする時間にわたって同時に受信するように構成される、請求項１５のデバイス。
【請求項１７】
送信するための前記手段は、各局が前記省電力ポールを送信するスケジュールを含む第２のメッセージを送信するようにさらに構成される、請求項１５のデバイス。
【請求項１８】
前記第２のメッセージは、トラフィックインディケーションマップを備え、前記スケジュールは、前記トラフィックインディケーションマップに基づいて定められる、請求項１７のデバイス。
【請求項１９】
前記第２のメッセージは、特定のトリガの後の省電力ポールの前記同時送信を示し、前記トリガが、ビーコン、肯定応答およびダウンリンクパケットのうちの少なくとも１つの送信である、請求項１７のデバイス。
【請求項２０】
前記追加の省電力ポールを同時に受信するための前記手段は、アップリンクマルチユーザＭＩＭＯ送信およびアップリンクＦＤＭＡ送信のうちの少なくとも１つを受信するように構成される、請求項１５のデバイス。
【請求項２１】
実行されるときに、プロセッサに、
デバイスが、第１の局から第１の省電力ポールメッセージを受信することと、
メッセージを前記局および２つ以上の追加の局に送信することと、前記メッセージは、前記第１の省電力ポールの受信を肯定応答し、追加の省電力ポールを指定される時間において同時に送信するように前記２つ以上の局に要求し、
前記２つ以上の局から前記追加の省電力ポールを同時に受信することと
をさせる命令を備える、非一時的コンピュータ可読媒体。
【請求項２２】
同時に受信することは、前記追加の省電力ポールの少なくとも一部を、オーバーラップする時間にわたって受信することを含む、請求項２１のコンピュータ可読媒体。
【請求項２３】
前記命令が、さらに前記プロセッサに、各局が前記省電力ポールを送信するスケジュールを含む第２のメッセージを送信させる、請求項２１のコンピュータ可読媒体。
【請求項２４】
前記第２のメッセージが、トラフィックインディケーションマップを備え、前記スケジュールが、前記トラフィックインディケーションマップに基づいて定められる、請求項２３のコンピュータ可読媒体。
【請求項２５】
前記第２のメッセージが、特定のトリガの後の前記追加の省電力ポールの前記同時送信を示し、前記トリガが、ビーコン、肯定応答、およびダウンリンクパケットのうちの少なくとも１つの送信である、請求項２１のコンピュータ可読媒体。
【請求項２６】
前記省電力ポールを同時に受信するための前記命令が、前記プロセッサに、アップリンクマルチユーザＭＩＭＯ送信およびアップリンクＦＤＭＡ送信のうちの少なくとも１つを使用して前記追加の省電力ポールを受信させる、請求項２１のコンピュータ可読媒体。
【手続補正２】
【補正対象書類名】明細書
【補正対象項目名】００７１
【補正方法】変更
【補正の内容】
【００７１】
[0084]上記は、本開示の態様を対象とするが、本開示の基本的な範囲を逸脱することなく、本開示の他の態様およびさらなる態様が考案されてよく、本開示の範囲は以下の特許請求の範囲によって決定される。
以下に本願発明の当初の特許請求の範囲に記載された発明を付記する。
［Ｃ１］
メッセージを２つ以上の局に送信することと、前記メッセージは、省電力ポールを指定される時間において同時に送信するように前記２つ以上の局に要求し、
前記局の各々から前記省電力ポールを同時に受信することと
を備える、ワイヤレス通信のための方法。
［Ｃ２］
同時に受信することは、前記省電力ポールのうちの第１の省電力ポールの少なくとも一部と、前記省電力ポールのうちの第２の省電力ポールの少なくとも一部とを、オーバーラップする時間にわたって受信することを含む、Ｃ１の方法。
［Ｃ３］
前記メッセージは、各局が前記省電力ポールを送信するスケジュールを含む、Ｃ１の方法。
［Ｃ４］
前記メッセージは、トラフィックインディケーションマップを備え、前記スケジュールは、前記トラフィックインディケーションマップに基づいて定められる、Ｃ３の方法。
［Ｃ５］
前記トラフィックインディケーションマップは、局の順序を含むビットマップを備え、各局が送信する前記スケジュールは、前記順序に基づいて決定される、Ｃ４の方法。
［Ｃ６］
前記メッセージは、特定のトリガの後の省電力ポールの前記同時送信を示し、前記トリガは、ビーコン、肯定応答およびダウンリンクパケットのうちの少なくとも１つの送信である、Ｃ１の方法。
［Ｃ７］
前記メッセージは、ビーコンフレーム、肯定応答フレームおよびクリアトゥトランスミットフレームのうちの少なくとも１つを備える、Ｃ１の方法。
［Ｃ８］
前記省電力ポールを前記同時に受信することは、アップリンクマルチユーザＭＩＭＯ送信およびアップリンクＦＤＭＡ送信のうちの少なくとも１つを受信することを備える、Ｃ１の方法。
［Ｃ９］
メッセージを２つ以上の局に送信するように構成される送信機と、前記メッセージは、省電力ポールを指定される時間において同時に送信するように前記２つ以上の局に要求し、
前記局の各々から前記省電力ポールを同時に受信するように構成される受信機と
を備える、ワイヤレス通信のためのデバイス。
［Ｃ１０］
前記受信機は、前記省電力ポールのうちの第１の省電力ポールの少なくとも一部と、前記省電力ポールのうちの第２の省電力ポールの少なくとも一部とを、オーバーラップする時間にわたって同時に受信するように構成される、Ｃ９のデバイス。
［Ｃ１１］
前記メッセージは、各局が前記省電力ポールを送信するスケジュールを含む、Ｃ９のデバイス。
［Ｃ１２］
前記メッセージは、トラフィックインディケーションマップを備え、前記スケジュールが、前記トラフィックインディケーションマップに基づいて定められる、Ｃ１１のデバイス。
［Ｃ１３］
前記トラフィックインディケーションマップが、局の順序を含むビットマップを備え、各局が送信する前記スケジュールは、前記順序に基づいて決定される、Ｃ１２のデバイス。
［Ｃ１４］
前記メッセージが、特定のトリガの後の省電力ポールの前記同時送信を示し、前記トリガが、ビーコン、肯定応答およびダウンリンクパケットのうちの少なくとも１つの送信である、Ｃ９のデバイス。
［Ｃ１５］
前記メッセージが、ビーコンフレーム、肯定応答フレームおよびクリアトゥトランスミットフレームのうちの少なくとも１つを備える、Ｃ９のデバイス。
［Ｃ１６］
前記受信機がさらに、アップリンクマルチユーザＭＩＭＯ送信およびアップリンクＦＤＭＡ送信のうちの少なくとも１つを受信するように構成される、Ｃ９のデバイス。
［Ｃ１７］
メッセージを２つ以上の局に送信する手段と、前記メッセージは、省電力ポールを指定される時間において同時に送信するように前記２つ以上の局に要求し、
前記局の各々から前記省電力ポールを同時に受信する手段と
を備える、ワイヤレス通信のためのデバイス。
［Ｃ１８］
前記受信する手段は、前記省電力ポールのうちの第１の省電力ポールの少なくとも一部と、前記省電力ポールのうちの第２の省電力ポールの少なくとも一部とを、オーバーラップする時間にわたって同時に受信するように構成される、Ｃ１７のデバイス。
［Ｃ１９］
前記メッセージは、各局が前記省電力ポールを送信するスケジュールを含む、Ｃ１７のデバイス。
［Ｃ２０］
前記メッセージは、トラフィックインディケーションマップを備え、前記スケジュールは、前記トラフィックインディケーションマップに基づいて定められる、Ｃ１９のデバイス。
［Ｃ２１］
前記メッセージは、特定のトリガの後の省電力ポールの前記同時送信を示し、前記トリガが、ビーコン、肯定応答およびダウンリンクパケットのうちの少なくとも１つの送信である、Ｃ１７のデバイス。
［Ｃ２２］
前記メッセージは、ビーコンフレーム、肯定応答フレームおよびクリアトゥトランスミットフレームのうちの少なくとも１つを備える、Ｃ１７のデバイス。
［Ｃ２３］
前記省電力ポールを同時に受信するための前記手段は、アップリンクマルチユーザＭＩＭＯ送信およびアップリンクＦＤＭＡ送信のうちの少なくとも１つを受信するように構成される、Ｃ１７のデバイス。
［Ｃ２４］
実行されるときに、プロセッサに、
メッセージを２つ以上の局に送信することと、前記メッセージは、省電力ポールを指定される時間において同時に送信するように前記２つ以上の局に要求し、
前記局の各々から前記省電力ポールを同時に受信することと
をさせる命令を備える、非一時的コンピュータ可読媒体。
［Ｃ２５］
同時に受信することは、前記省電力ポールのうちの第１の省電力ポールの少なくとも一部と、前記省電力ポールのうちの第２の省電力ポールの少なくとも一部とを、オーバーラップする時間にわたって受信することを含む、Ｃ２４の命令。
［Ｃ２６］
前記メッセージが、各局が前記省電力ポールを送信するスケジュールを含む、Ｃ２４の命令。
［Ｃ２７］
前記メッセージが、トラフィックインディケーションマップを備え、前記スケジュールが、前記トラフィックインディケーションマップに基づいて定められる、Ｃ２６の命令。
［Ｃ２８］
前記メッセージが、特定のトリガの後の省電力ポールの前記同時送信を示し、前記トリガが、ビーコン、肯定応答、およびダウンリンクパケットのうちの少なくとも１つの送信である、Ｃ２４の命令。
［Ｃ２９］
前記メッセージが、ビーコンフレーム、肯定応答フレームおよびクリアトゥトランスミットフレームのうちの少なくとも１つを備える、Ｃ２４の命令。
［Ｃ３０］
前記省電力ポールを同時に受信するための前記命令がさらに、アップリンクマルチユーザＭＩＭＯ送信およびアップリンクＦＤＭＡ送信のうちの少なくとも１つを受信するように構成される、Ｃ２４の命令。